(57)【要約】【課題】低沸点冷媒を液体の状態でボンベに確実に回収することができ、更に、回収装置に低沸点冷媒が液体のまま残らないようにした低沸点冷媒回収装置を提供する。【解決手段】被回収ユニット３からの低沸点冷媒を回収し、圧縮機８で圧縮した後、低沸点冷媒凝縮器１１で液化させてボンベに回収する冷媒回収回路１３からなる低沸点冷媒回収ユニット１と、圧縮機８、高沸点冷媒凝縮器１９、高沸点冷媒蒸発器２１を備えた冷媒回路からなる高沸点冷媒を使用した冷却ユニット２とからなり、低沸点冷媒回収ユニット１の圧縮機８と低沸点冷媒凝縮器１１との間に、低沸点冷媒を予備冷却する低沸点冷媒冷却器１０を設け、また、冷却ユニット２の高沸点冷媒蒸発器２１を、高沸点冷媒蒸発器２１を流れる高沸点冷媒と低沸点冷媒回収ユニット１の低沸点冷媒凝縮器１１を流れる低沸点冷媒とを熱交換して低沸点冷媒を凝縮させる低沸点冷媒冷却部２３と、低沸点冷媒回収ユニット１に接続されたボンベ４を冷却するボンベ冷却部２４となるようにした。【選択図】　図１
2004061017.tif 000002
【特許請求の範囲】
【請求項１】
被回収ユニットからの低沸点冷媒を回収し、圧縮機で圧縮した後、低沸点冷媒凝縮器で液化させてボンベに回収する冷媒回収回路からなる低沸点冷媒回収ユニットと、圧縮機、高沸点冷媒凝縮器、高沸点冷媒蒸発器を備えた冷媒回路からなる高沸点冷媒を使用した冷却ユニットとからなり、
前記低沸点冷媒回収ユニットの冷媒回収回路の前記圧縮機と前記低沸点冷媒凝縮器との間に、圧縮機から押し出された高温低沸点冷媒を予備冷却する低沸点冷媒冷却器が設けられ、
また、前記冷却ユニットの高沸点冷媒蒸発器が、該高沸点冷媒蒸発器を流れる高沸点冷媒と前記低沸点冷媒回収ユニットの低沸点冷媒凝縮器を流れる低沸点冷媒とを熱交換して低沸点冷媒を凝縮し液化させる低沸点冷媒冷却部と、前記低沸点冷媒回収ユニットの冷媒回収回路に接続されたボンベを冷却するボンベ冷却部となっていることを特徴とする低沸点冷媒回収装置。
【請求項２】
前記低沸点冷媒回収ユニットの冷媒回収回路には、圧縮機の吸入側に逆止弁が設けられ、該逆止弁と圧縮機の間と前記低沸点冷媒凝縮器の出口側の冷媒回収回路に、前記低沸点冷媒凝縮器から流れ出た低沸点冷媒を圧縮機に再送する弁体を備えた冷媒回収回路内冷媒排出運転回路が接続されていることを特徴とする請求項１に記載の低沸点冷媒回収装置。
【請求項３】
前記冷却ユニットの冷媒回路に備えられている、前記低沸点冷媒冷却部となっている高沸点冷媒蒸発器とボンベ冷却部となっている高沸点冷媒蒸発器とは、冷媒回路に並列に接続されていることを特徴とする請求項１又は２に記載の低沸点冷媒回収装置。
【請求項４】
前記冷却ユニットの冷媒回路に備えられている、前記低沸点冷媒冷却部となっている高沸点冷媒蒸発器とボンベ冷却部となっている高沸点冷媒蒸発器は、１つの高沸点冷媒蒸発器で兼ねられていることを特徴とする請求項１又は２に記載の低沸点冷媒回収装置。
【請求項５】
前記ボンベはボンベ収納容器内に収納され、前記冷却ユニットのボンベ冷却部による前記ボンベの冷却は、前記ボンベ収納容器内の空気と熱交換して行われるようになっていることを特徴とする請求項１，２，３又は４に記載の低沸点冷媒回収装置。
【請求項６】
前記ボンベ収納容器の下部には前記ボンベの重量を計測する秤が設けられていることを特徴とする請求項５に記載の低沸点冷媒回収装置。
【発明の詳細な説明】
【０００１】
【発明の属する技術分野】
本発明は、例えば冷凍機の如き被回収ユニットから低沸点冷媒を液化して回収する低沸点冷媒回収装置に関するものである。
【０００２】
【従来の技術】
空調機や冷凍機等の冷媒として一般にフロンが多く使用されている。このフロンに代表される冷媒は、特に環境上の問題から、空調機や冷凍機等から回収することが強く求められている。この冷媒の回収は、冷媒を液化させ、液体の状態でボンベに回収することにより行われている。
【０００３】
この冷媒の回収に当たり、冷媒が高沸点のものである場合、例えば、冷媒番号がＲ１２，Ｒ２２，Ｒ１３４ａ等のフロンの如き高沸点冷媒は、空冷の凝縮器を用いて容易に液化させることができるため、常温において、既存の冷媒回収機を使って、液体の状態で効率よくボンベに回収することができるが、冷媒番号がＲ１３，Ｒ２３等のフロンの如き低沸点冷媒は、臨界温度が低いため（Ｒ１３：２９℃、Ｒ２３：２６℃）、空冷の凝縮器では液化させることができず、既存の冷媒回収機では、液体の状態で効率よくボンベに回収することができなかった。
【０００４】
これらの低沸点冷媒を回収する方法として、例えば冷凍機の如き被回収ユニットから取り出した冷媒を、独立した冷却装置により、例えば−２０℃に冷却し液化して回収する低沸点冷媒回収装置が知られている。
【０００５】
【発明が解決しようとする課題】
しかしながら、前記独立した冷却装置により冷媒を冷却し液化して回収する低沸点冷媒回収装置では、回収したガス冷媒を冷却装置だけで−２０℃まで冷却するため、大きな能力の冷却装置を必要とするといった問題点がある。
【０００６】
また、−２０℃まで冷却した冷媒をボンベに収容する過程で、収容するボンベや配管等に冷却等の配慮がなされていないために、冷却装置によりせっかく液化した冷媒がボンベに収容する時点で、外気やボンベ自体の熱と熱交換して加熱されガス化してしまい、冷媒を全て液体の状態でボンベに回収することは極めて困難であるといった問題点がある。
【０００７】
また、被回収ユニットの冷媒の回収作業完了後、低沸点冷媒回収装置の冷媒配管内に残った液体の低沸点冷媒が外気と熱交換してガス化し膨張し、低沸点冷媒回収装置の破損を引き起こすおそれがあるといった問題点がある。
【０００８】
本発明の目的は、大きな能力の冷却装置を必要とすることなく、また低沸点冷媒を液体の状態でボンベに確実に回収することができ、更に、回収装置に低沸点冷媒が液体のまま残らないようにした低沸点冷媒回収装置を提供することにある。
【０００９】
【課題を解決するための手段】
上記目的を達成するために、請求項１に記載の低沸点冷媒回収装置は、被回収ユニットからの低沸点冷媒を回収し、圧縮機で圧縮した後、低沸点冷媒凝縮器で液化させてボンベに回収する冷媒回収回路からなる低沸点冷媒回収ユニットと、圧縮機、高沸点冷媒凝縮器、高沸点冷媒蒸発器を備えた冷媒回路からなる高沸点冷媒を使用した冷却ユニットとからなり、前記低沸点冷媒回収ユニットの冷媒回収回路の前記圧縮機と前記低沸点冷媒凝縮器との間に、圧縮機から押し出された高温低沸点冷媒を予備冷却する低沸点冷媒冷却器が設けられ、また、前記冷却ユニットの高沸点冷媒蒸発器が、該高沸点冷媒蒸発器を流れる高沸点冷媒と前記低沸点冷媒回収ユニットの低沸点冷媒凝縮器を流れる低沸点冷媒とを熱交換して低沸点冷媒を凝縮し液化させる低沸点冷媒冷却部と、前記低沸点冷媒回収ユニットの冷媒回収回路に接続されたボンベを冷却するボンベ冷却部となっていることを特徴とする。
【００１０】
このように構成することにより、前記低沸点冷媒回収ユニットの冷媒回収回路の前記圧縮機と前記低沸点冷媒凝縮器との間に、圧縮機から押し出された高温低沸点冷媒を予備冷却する低沸点冷媒冷却器が設けられているので、圧縮機から押し出された高温低沸点冷媒は低沸点冷媒凝縮器に入る前に、低沸点冷媒冷却器で予備冷却され、低温ガスとなって低沸点冷媒凝縮器に入ることになり、かかる低温ガスとなっている低沸点冷媒を冷却し凝縮させて液化する冷却ユニットの冷却能力に大きな能力を必要とせず、これにより、装置の小型化とコストの低減が図れる。
【００１１】
また、前記冷却ユニットの高沸点冷媒蒸発器が、該高沸点冷媒蒸発器を流れる高沸点冷媒と前記低沸点冷媒回収ユニットの低沸点冷媒凝縮器と冷却ユニットの高沸点冷媒蒸発器を流れる低沸点冷媒とを熱交換して低沸点冷媒を凝縮し液化させる低沸点冷媒冷却部と、前記低沸点冷媒回収ユニットの冷媒回収回路に接続されたボンベを冷却するボンベ冷却部となっているので、ボンベは冷却ユニットのボンベ冷却部により冷却されることになり、この冷却されたボンベに液化した低沸点冷媒を液体の状態で確実に収容し回収することができる。このボンベを冷却する手段として、前記低沸点冷媒回収ユニットの低沸点冷媒を冷却する冷却ユニットの高沸点冷媒蒸発器をボンベ冷却部としているので、ボンベを冷却する手段として、独立した冷却装置を必要とせず、これにより、装置の小型化とコストの低減が図れる。
【００１２】
請求項２に記載の低沸点冷媒回収装置は、請求項１に記載の、前記低沸点冷媒回収ユニットの冷媒回収回路には、圧縮機の吸入側に逆止弁が設けられ、該逆止弁と圧縮機の間と前記低沸点冷媒凝縮器の出口側の冷媒回収回路に、前記低沸点冷媒凝縮器から流れ出た低沸点冷媒を圧縮機に再送する弁体を備えた冷媒回収回路内冷媒排出運転回路が接続されていることを特徴とする。
【００１３】
このように構成することにより、冷凍機等の被回収ユニットからの冷媒回収が終了した後、前記冷却ユニットの運転を停止し、冷媒回収回路内冷媒排出運転回路の弁体を開いて低沸点冷媒回収ユニットの運転を続けると、前記低沸点冷媒回収ユニットの低沸点冷媒凝縮器を通る低沸点冷媒は、冷却運転が停止されている冷却ユニットの高沸点冷媒蒸発器により冷却されないため凝縮せず、低沸点冷媒凝縮器から送り出されたガス状態の低沸点冷媒の一部がボンベ側にある冷媒回収回路内の液状の低沸点冷媒をボンベ側に押し出してボンベに収納し、他部が冷媒回収回路内冷媒排出運転回路内に入って圧縮機に再送されて循環し、この運転を続けることにより、低沸点冷媒回収ユニットの冷媒回収回路内から液状の低沸点冷媒が除去され、これにより、低沸点冷媒回収ユニットの冷媒回収回路内に低沸点冷媒が液体の状態で残ることを防止することができる。
【００１４】
請求項３に記載の低沸点冷媒回収装置は、請求項１又は２に記載の、前記冷却ユニットの冷媒回路に備えられている、前記低沸点冷媒冷却部となっている高沸点冷媒蒸発器とボンベ冷却部となっている高沸点冷媒蒸発器とは、冷媒回路に並列に接続されていることを特徴とする。
【００１５】
このように構成することにより、低沸点冷媒冷却部による低沸点冷媒の冷却とボンベ冷却部によるボンベの冷却をバランスよく行うことができる。
【００１６】
請求項４に記載の低沸点冷媒回収装置は、請求項１又は２に記載の、前記冷却ユニットの冷媒回路に備えられている、前記低沸点冷媒冷却部となっている高沸点冷媒蒸発器とボンベ冷却部となっている高沸点冷媒蒸発器は、１つの高沸点冷媒蒸発器で兼ねられていることを特徴とする。
【００１７】
このように構成することにより、冷却ユニットの小型化とコストの低減が図れる。
【００１８】
請求項５に記載の低沸点冷媒回収装置は、請求項１，２，３又は４に記載の、前記ボンベはボンベ収納容器内に収納され、前記冷却ユニットのボンベ冷却部による前記ボンベの冷却は、前記ボンベ収納容器内の空気と熱交換して行われるようになっていることを特徴とする。
【００１９】
このように構成することにより、冷却ユニットのボンベ冷却部の構成が簡単となり、装置の小型化が図れ、また、前記空気を循環させることにより、ボンベ外表面の熱伝達率が高く、ボンベを効率よく冷却することができる。
【００２０】
請求項６に記載の低沸点冷媒回収装置は、請求項５に記載の、前記ボンベ収納容器の下部には前記ボンベの重量を計測する秤が設けられていることを特徴とする。
【００２１】
このように構成することにより、冷却空気を漏らすことなくボンベの重量を計測することができ、該ボンベの計測によってボンベへの冷媒充填量を検出することにより、低沸点冷媒回収装置の運転停止操作を容易に且つ確実に行うことができる。
【００２２】
【発明の実施の形態】
以下本発明に係る低沸点冷媒回収装置の実施を説明する。
図１及び図２は本発明に係る低沸点冷媒回収装置の実施の形態の第１例を示したもので、図１は本例の低沸点冷媒回収装置の冷媒回路図、図２は本例のボンベ収納容器を示す縦断面図である。
【００２３】
同図において、１は低沸点冷媒回収ユニット、２は冷却ユニットであり、低沸点冷媒回収ユニット１と冷却ユニット２で低沸点冷媒回収装置が構成されている。前記低沸点冷媒回収ユニット１は、一端部が低沸点冷媒を使用している冷凍機等の被回収ユニット３に接続され、他端が前記被回収ユニット３に使用されている低沸点冷媒を収容するボンベ４に接続される冷媒配管５に、被回収ユニット３側から、逆止弁６、圧力調整弁７、圧縮機８、高圧圧力スイッチ９、低沸点冷媒冷却器１０、低沸点冷媒凝縮器１１、逆止弁１２が直列に接続されて、冷媒回収回路１３が構成されている。
【００２４】
前記低沸点冷媒冷却器１０は圧縮機８から押し出された高温低沸点冷媒を大気と熱交換し予備冷却するものである。また、前記低沸点冷媒凝縮器１１は、該低沸点冷媒凝縮器１１を流れる低沸点冷媒と前記冷却ユニット２の後述するところの高沸点冷媒蒸発器を流れる高沸点冷媒と熱交換するようになっており、その詳細は後述する。
【００２５】
逆止弁１２は、ボンベ４の接続口側に接続されており、この逆止弁１２はボンベ４内の冷媒が低沸点冷媒回収ユニット１の冷媒回収回路１３の冷媒配管５に逆流するのを防止するようになっている。また、前記冷媒回収回路１３には、前記逆止弁６と圧力調整弁７の間と前記低沸点冷媒凝縮器１１と逆止弁１２との間に接続される冷媒配管１４に弁体１５が設けられて構成された、前記低沸点冷媒凝縮器１１から流れ出た低沸点冷媒を圧縮機８に再送する冷媒回収回路内冷媒排出運転回路１６が接続されている。前記冷却ユニット２は冷媒として高沸点冷媒を使用するものであり、冷媒配管１７に、圧縮機１８、高沸点冷媒凝縮器１９、膨張弁２０、高沸点冷媒蒸発器２１が直列に接続されて、冷媒回路２２が構成されている。
【００２６】
前記高沸点冷媒蒸発器２１にあっては、該高沸点冷媒蒸発器２１を流れる高沸点冷媒と前記低沸点冷媒回収ユニット１の低沸点冷媒凝縮器１１を流れる低沸点冷媒とを熱交換して低沸点冷媒を凝縮し液化させる低沸点冷媒冷却部２３と、前記低沸点冷媒回収ユニット１の冷媒回収回路１３に接続されたボンベ４を冷却するボンベ冷却部２４を構成している。前記低沸点冷媒冷却部２３となっている高沸点冷媒蒸発器２１とボンベ冷却部２４となっている高沸点冷媒蒸発器２１とは、本例では冷媒回路２２に並列に接続されている。
【００２７】
前記低沸点冷媒冷却部２３となっている高沸点冷媒蒸発器２１と前記低沸点冷媒回収ユニット１の低沸点冷媒凝縮器１１にあっては、本例では、二重管熱交換器（図示せず）が使用されており、一方の配管に冷却ユニット２の冷媒である高沸点冷媒を通し、他方の配管に低沸点冷媒回収ユニット１の冷媒である低沸点冷媒を通し、１つの二重管熱交換器をもって、低沸点冷媒回収ユニット１の低沸点冷媒凝縮器１１、冷却ユニット２の高沸点冷媒蒸発器２１としている。前記低沸点冷媒凝縮器１１、高沸点冷媒蒸発器２１を構成する二重管熱交換器の構造にあっては、特に限定されるものではない。
【００２８】
また、ボンベ冷却部２４となっている高沸点冷媒蒸発器２１にあっては、本例では次のようになっている。前記ボンベ４は閉鎖される収納容器２５内に収容されるようになっており、該収納容器２５とボンベ冷却部２４をダクト２６で接続し、ファン２７で収納容器２５内の空気をダクト２６を介して収納容器２５とボンベ冷却部２４の間で循環させて、収納容器２５内の空気とボンベ冷却部２４となっている高沸点冷媒蒸発器２１を流れる高沸点冷媒と熱交換して空気を冷却し、該冷却した空気でボンベ４を冷却するようになっている。
【００２９】
前記ボンベ４を収納する収納容器２５にあっては、ボンベ４の収納や取り出しが容易に行えるように胴２８や蓋２９が取り外し可能となっている。また、収納容器２５の下部には、収納容器２５内に収納したボンベ４の重量を計測する秤３０が設けられており、冷却空気を漏らすことなくボンベ４の重量を計測することができるようになっており、該ボンベ４の計測によってボンベ４への冷媒充填量を検出することにより、低沸点冷媒回収装置の運転停止操作を行う電気的制御手段（図示せず）が備えられている。
【００３０】
次に、上記のように構成された低沸点冷媒回収装置による被回収ユニット３からの低沸点冷媒の回収について説明する。
前記低沸点冷媒回収ユニット１を被回収ユニット３に接続するとともに、収納容器２５内に収納したボンベ４と接続する。冷媒回収回路内冷媒排出運転回路１６の弁体１５を閉じた状態にしておき、この状態から、低沸点冷媒回収ユニット１と冷却ユニット２の運転を開始する。
【００３１】
先ず、低沸点冷媒回収ユニット１の運転により、被回収ユニット３の低沸点冷媒は圧縮機８に吸入され、圧縮機８で圧縮されて高温ガス状態で押し出されて低沸点冷媒冷却器１０に入り、ここで大気と熱交換し予備冷却され、低温ガス状態となり、低沸点冷媒凝縮器１１に入る。
【００３２】
また、冷却ユニット２の運転により、高沸点冷媒は圧縮機１８で圧縮されて高温ガス状態で押し出されて高沸点冷媒凝縮器１９に入り、ここで大気と熱交換して凝縮し、凝縮した高沸点冷媒の一部が膨張弁２０で減圧されて低沸点冷媒冷却部２３となっている高沸点冷媒蒸発器２１に入り、ここで、前記低沸点冷媒回収ユニット１の低沸点冷媒凝縮器１１に入った低温ガス状態の低沸点冷媒と熱交換し、低沸点冷媒回収ユニット１の低沸点冷媒凝縮器１１に入いった低温ガス状態の低沸点冷媒は凝縮して液状となってボンベ４側に送り出され、また、冷却ユニット２の低沸点冷媒冷却部２３となっている高沸点冷媒蒸発器２１に入った液状の高沸点冷媒は蒸発してガス状態となって圧縮機１８側に送り出される。
【００３３】
また、凝縮した高沸点冷媒の他の一部は、同じく膨張弁２０で減圧されてボンベ冷却部２４となっている高沸点冷媒蒸発器２１に入り、ここで、前記ボンベ４を収納している収納容器２５内の空気と熱交換し、ここで冷却された空気は収納容器２５内に収納されているボンベ４を冷却し、また、冷却ユニット２のボンベ冷却部２４となっている高沸点冷媒蒸発器２１に入った液状の高沸点冷媒は蒸発してガス状態となって圧縮機１８側に送り出される。
【００３４】
前記低沸点冷媒回収ユニット１の低沸点冷媒凝縮器１１に入いった低温ガス状態の低沸点冷媒は、前記のように凝縮して液状となってボンベ４側に送り出されるが、ボンベ４は冷却ユニット２のボンベ冷却部２４により冷却されているので、低沸点冷媒を液体の状態で確実にボンベ４に回収することができる。
【００３５】
このようにして液体となっている低沸点冷媒を回収したボンベ４の重量が秤３０で計測され、所定の重量になったことが検出されると、電気的制御手段により低沸点冷媒回収装置の運転が停止される。そして、被回収ユニット３の低沸点冷媒が回収しきれていない場合は、前記収納容器２５内から低沸点冷媒を回収したボンベ４を取り出し、新たなボンベ４を収納し、前記低沸点冷媒回収装置の運転を行う。このとき、収納容器２５の胴２８や蓋２９が取り外し可能となっているので、収納容器２５内へのボンベ４の収納・取り外し作業は容易に行うことができる。
【００３６】
被回収ユニット３からの低沸点冷媒の回収が終了したら、前記冷却ユニット２の運転を停止し、低沸点冷媒回収ユニット１に接続している冷媒回収回路内冷媒排出運転回路１６の弁体１５を開いて低沸点冷媒回収ユニット１の運転を続ける。この運転により、低沸点冷媒回収ユニット１の低沸点冷媒凝縮器１１を通る低沸点冷媒は、冷却運転が停止されている冷却ユニット２の高沸点冷媒蒸発器１９により冷却されないため凝縮せずガス状態のまま送り出され、低沸点冷媒凝縮器１１から送り出されたガス状態の低沸点冷媒の一部が冷媒回収回路１３のボンベ４側にある冷媒配管５内にある液状態の低沸点冷媒をボンベ４側に押し出してボンベ４に収納し、ガス状態の低沸点冷媒の他部が冷媒回収回路内冷媒排出運転回路１６内に入って圧縮機８に再送されて循環する。このとき、逆止弁６により、被回収ユニット３への低沸点冷媒の逆流が防止される。
【００３７】
この運転を続けることにより、低沸点冷媒回収ユニット１の冷媒回収回路１３の冷媒配管５及び冷媒回収回路内冷媒排出運転回路１６の冷媒配管１４内はガス状態の低沸点冷媒で満たされ、液状の低沸点冷媒はボンベ４に送り込まれることになり、これにより、低沸点冷媒回収ユニット１の冷媒回収回路１３の冷媒配管５及び冷媒回収回路内冷媒排出運転回路１６の冷媒配管１４内に低沸点冷媒が液体の状態で残らなくすることができるので、液体の低沸点冷媒が外気と熱交換してガス化し膨張して低沸点冷媒回収ユニット１の冷媒回収回路１３の冷媒配管５及び冷媒回収回路内冷媒排出運転回路１６の冷媒配管１４の破裂や接続されている機器等の破損を引き起こすといった事態を防止することができる。このようにして、被回収ユニット３の低沸点冷媒の回収作業が完了する。
【００３８】
なお、本例では、低沸点冷媒回収ユニット１の圧縮機８の吸入側に圧力調整弁７が接続されているので、圧縮機８の吸入圧力を一定値以下に自動的に制御でき、これにより、高圧圧力スイッチ９の作動や圧縮機８の過負荷を防止でき、また、作業者が常に圧力を監視して調整する必要がないので、作業が容易である。
【００３９】
図３は本発明に係る低沸点冷媒回収装置の実施の形態の第２例を示した冷媒回路図である。なお、前述した図１と対応する部分には、同一符号を付けて示している。
【００４０】
本例の低沸点冷媒回収装置は、前記冷却ユニット２の冷媒回路２２に備えられている、低沸点冷媒冷却部２３となっている高沸点冷媒蒸発器２１とボンベ冷却部２４となっている高沸点冷媒蒸発器２１は、１つの高沸点冷媒蒸発器２１で兼ねられている。その他の構成は、前述した図１及び図２と同様に構成されている。
【００４１】
このように構成することにより、冷却ユニット２の小型化とコストの低減が図れる。本例の低沸点冷媒回収装置の運転動作は、前記第１例と同様である。
【００４２】
【発明の効果】
以上のように、本発明に係る低沸点冷媒回収装置によれば、冷媒を液体の状態でボンベに確実に収納することができるので、被回収ユニットから低沸点冷媒を効率よく回収することができる。また、回収する低沸点冷媒を液体にするために冷却する冷却ユニットに大きな能力を必要としなくてすむので装置の小型化とコストの低減を図ることができる。更には、被回収ユニットからの低沸点冷媒の回収作業完了後、低沸点冷媒回収ユニットに液体の状態にある低沸点冷媒が残らないようにすることができるので、液体の低沸点冷媒が外気と熱交換してガス化し膨張して低沸点冷媒回収ユニットの破損を引き起こすといった事態を有効に防止することができる。
【図面の簡単な説明】
【図１】本発明に係る低沸点冷媒回収装置の実施の形態の第１例を示した冷媒回路図である。
【図２】本例でのボンベ収納容器を示す縦断面図である。
【図３】本発明に係る低沸点冷媒回収装置の実施の形態の第２例を示した冷媒回路図である。
【符号の説明】
１　低沸点冷媒回収ユニット
２　冷却ユニット
３　被回収ユニット
４　ボンベ
５　冷媒配管
６　逆止弁
７　圧力調整弁
８　圧縮機
９　高圧圧力スイッチ
１０　低沸点冷媒冷却器
１１　低沸点冷媒凝縮器
１２　逆止弁
１３　冷媒回収回路
１４　冷媒配管
１５　弁体
１６　冷媒回収回路内冷媒排出運転回路
１７　冷媒配管
１８　圧縮機
１９　高沸点冷媒凝縮器
２０　膨張弁
２１　高沸点冷媒蒸発器
２２　冷媒回路
２３　低沸点冷媒冷却部
２４　ボンベ冷却部
２５　収納容器
２６　ダクト
２７　ファン
２８　胴
２９　蓋
３０　秤
【図１】
2004061017.tif 000003
【図２】
2004061017.tif 000004
【図３】
2004061017.tif 000005